(57)【要約】【課題】かご内表示装置に表示されるコンテンツの内容や変更時期を検討することによりエレベーター管理者にかかる負担を、軽減する。【解決手段】エレベーター１のかご内表示装置１３に表示させる表示内容を管理する表示内容管理装置２において、エレベーター１の運行データを含むエレベーターの収集データを解析し、解析の結果に基づいて、かご内表示装置１３での表示を推薦する表示推薦内容を決定する解析部２３ｂと、表示推薦内容を、エレベーター１の管理を行うユーザーが操作する端末装置３に送信する通信部２１と、を備える。【選択図】  図１
2020196593.tif 000002
【特許請求の範囲】
【請求項１】
エレベーターのかご内表示装置に表示させる表示内容を管理する表示内容管理装置において、
前記エレベーターの運行データを含む前記エレベーターの収集データを解析し、前記解析の結果に基づいて、前記かご内表示装置での表示を推薦する表示推薦内容を決定する解析部と、
前記表示推薦内容を、前記エレベーターの管理を行うユーザーが操作する端末装置に送信する通信部と、を備える
表示内容管理装置。
【請求項２】
前記表示推薦内容を含むプッシュ通知を、前記通信部を介して前記端末装置に送信するプッシュ通知制御部をさらに備える、
請求項１に記載の表示内容管理装置。
【請求項３】
前記通信部から前記端末装置にプッシュ通知される内容には、前記表示推薦内容、及び、前記かご内表示装置の表示内容を前記表示推薦内容に変更することにより改善が見込まれる効果に関する記載を含む前記表示推薦内容の推薦理由が含まれる
請求項２に記載の表示内容管理装置。
【請求項４】
前記解析部は、前記表示推薦内容に基づいて前記かご内表示装置での表示内容が変更される前及び後のそれぞれにおける前記収集データの解析を比較し、前記比較の結果に基づいて前記運行データの改善実績を示す改善実績報告を生成し、
前記通信部は、前記改善実績報告を前記端末装置に送信する
請求項３に記載の表示内容管理装置。
【請求項５】
前記表示推薦内容を見た前記ユーザーにより行われた、前記かご内表示装置に表示させる表示内容の編集及び確認操作、又は、確認操作に基づいて、前記かご内表示装置に表示させる表示内容の変更が確定した場合に、前記確定した内容に前記かご内表示装置の表示内容を変更させるコマンドを、前記通信部を介して前記エレベーターに送信するコマンド制御部をさらに備える
請求項１〜４のいずれか一項に記載の表示内容管理装置。
【請求項６】
エレベーターのかご内表示装置に表示させる表示内容を管理する表示内容管理装置と、前記エレベーターを管理するユーザーにより操作される端末装置と、を備える表示内容管理システムにおいて、
前記表示内容管理装置は、
前記エレベーターの運行データを含む前記エレベーターの収集データを解析し、前記解析の結果に基づいて、前記かご内表示装置での表示を推薦する表示推薦内容を決定する解析部と、
前記表示推薦内容を、前記エレベーターの管理を行うユーザーが操作する端末装置に送信する通信部と、を備え
前記端末装置は、
前記表示推薦内容を表示部に表示させる制御と、前記表示部に表示された前記表示推薦内容に対する、前記ユーザーによる編集及び確認操作、又は、確認操作に基づいて、前記かご内表示装置の表示内容の変更を確定する制御と、を行う制御部を備える
表示内容管理システム。
【発明の詳細な説明】
【技術分野】
【０００１】
本発明は、表示内容管理装置及び表示内容管理システムに関する。
【背景技術】
【０００２】
従来、エレベーターのかご内には、エレベーターの現在位置等を表示するためのかご内表示装置が備えられている。かご内表示装置は、エレベーターの現在位置のみでなく、天気予報や最新ニュースなどの各種コンテンツを表示するための表示装置として使用されることも多い。かご内表示装置に表示される各種コンテンツには、エレベーターの利用者に向けたメッセージなども含まれる。エレベーターの利用者に向けたメッセージは、例えば、エレベーターの快適な利用や安全運行などを目的として生成される。
【０００３】
具体的には、エレベーターの利用者に向けたメッセージとして、エレベーターの次回点検予定日を通知することにより、エレベーター利用者に、エレベーターがその期間利用できないことを周知すること等が行われる。また、例えば、駆け込み乗車の抑制を促すメッセージなどの、エレベーターの使用上の注意事項を表示することにより、エレベーター利用者に、マナー向上を促すこと等も行われる。
【０００４】
一般的に、かご内表示装置に表示される各種コンテンツの内容は、エレベーターが稼働している建物の管理者（以下、エレベーター管理者とも称する）が変更することが可能である。具体的には、エレベーターの保守会社に対してエレベーター管理者が電話で連絡して、かご内表示装置における表示内容の変更を依頼したり、エレベーターの保守会社が公開しているウェブサイトを介して、エレベーター管理者が表示内容を変更したりすること等が行われる。
【０００５】
例えば、特許文献１には、エレベーターの保守会社から送信されたエレベーターの点検予定日を表示する表示部と、この表示部に表示された点検予定日に対する同意の操作、及び、不同意の操作を行う操作部と、を備えたエレベーターの表示装置が記載されている。
【先行技術文献】
【特許文献】
【０００６】
【特許文献１】特開２０１５−２１７９９１号公報
【発明の概要】
【発明が解決しようとする課題】
【０００７】
ところで、かご内表示装置に表示する各種コンテンツの内容の変更及び変更の時期を、エレベーター管理者が任意に選択できる形態も多く採られている。この場合、エレベーター管理者が、かご内表示装置への表示内容が適切であるか否かの判断を行いにくかったり、表示内容を変更すべき時期を失念してしまったりする等の問題が発生する可能性がある。特に、多台数のエレベーターを管理しているビル管理会社等におけるエレベーター管理者は、かご内表示装置に表示するコンテンツの内容の変更管理を十分に行えなくなる場合も多い。エレベーター管理者が変更管理を十分に行えない理由として、かご内表示装置に表示するコンテンツの内容や変更時期などの検討にかかるエレベーター管理者の負担が大きいことが挙げられる。
【０００８】
本発明は、上記課題を解決するためになされたものである。本発明の目的は、かご内表示装置に表示されるコンテンツの内容や変更時期を検討することによりエレベーター管理者にかかる負担を、軽減することにある。
【課題を解決するための手段】
【０００９】
上記課題を解決するために、例えば、特許請求の範囲に記載の構成を採用する。本発明は上記課題を解決する手段を複数含んでいるが、その一例を挙げるならば、本発明の表示内容管理装置は、エレベーターのかご内表示装置に表示させる表示内容を管理する装置であり、解析部と、通信部とを備える。解析部は、エレベーターの運行データを含むエレベーターの収集データを解析し、解析の結果に基づいて、かご内表示装置への表示を推薦する表示推薦内容を決定する。通信部は、表示推薦内容を、エレベーターの管理を行うユーザーが操作する端末装置に送信する。
【発明の効果】
【００１０】
本発明によれば、かご内表示装置に表示されるコンテンツの内容や変更時期を検討することによりエレベーター管理者にかかる負担を、軽減することができる。
【図面の簡単な説明】
【００１１】
【図１】本発明の一実施形態に係る表示内容管理システムの主な機能構成を示すブロック図である。
【図２】本発明の一実施形態に係る表示内容管理システムを構成する各装置を計算機Ｃで構成した場合のハードウェアのブロック図である。
【図３】本発明の一実施形態に係る故障データ記憶部のデータ構造の例を示す図である。
【図４】本発明の一実施形態に係る運行データ記憶部のデータ構造の例を示す図である。
【図５】本発明の一実施形態に係る判定値記憶部のデータ構造の例を示す図である。
【図６】本発明の一実施形態に係る表示内容データ記憶部のデータ構造の例を示す図である。
【図７】本発明の一実施形態に係る表示推薦内容の受信通知メッセージの表示例を示す図である。
【図８】本発明の一実施形態に係る表示内容の変更に伴う改善実績報告の受信通知メッセージの表示例を示す図である。
【図９】本発明の一実施形態に係るかご内表示装置表示内容変更画面の例を示す図である。
【図１０】本発明の一実施形態に係るかご内表示装置表示内容確定画面の例を示す図である。
【図１１】本発明の一実施形態に係る運行データの改善実績レポート表示画面の例を示す図である。
【図１２】本発明の一実施形態に係る表示内容管理システムによる表示内容管理方法の手順の例を示すフローチャートである。
【発明を実施するための形態】
【００１２】
以下、本発明の一実施形態に係る表示内容管理システムについて、図面を参照しながら具体的に説明するが、本発明は下記の具体例に限定されない。
【００１３】
［表示内容管理システムの構成］
まず、図１を参照して、本実施形態に係る表示内容管理システムの構成について説明する。図１は、本実施形態の表示内容管理システム１００の主な機能構成を示すブロック図である。
【００１４】
表示内容管理システム１００は、図１に示すように、エレベーター１、コントロールセンター装置２（表示内容管理装置の一例）、及び、ユーザーにより操作される端末装置３を備える。
【００１５】
エレベーター１は、コントロールセンター装置２を管理するエレベーターの保守会社によって、顧客先に納品されたエレベーターである。コントロールセンター装置２は、エレベーターの保守会社によって管理される装置であり、図１に示すエレベーター１を始めとする、各顧客に納品された各エレベーターの保守を行う。本実施形態では、コントロールセンター装置２は、エレベーター１のかご内表示装置１３の表示内容の管理（変更）も行う。端末装置３は、例えば、携帯電話端末やスマートフォン、ＰＣ（Personal Computer）等で構成される装置であり、エレベーター１の管理者であるユーザーにより操作される。コントロールセンター装置２とエレベーター１、及び、コントロールセンター装置２と端末装置３とは、例えば、公衆ＩＰネットワーク網などの公共ネットワーク４によって接続されている。
【００１６】
エレベーター１は、通信部１１、制御部１２及びかご内表示装置１３等を備える。なお、図１では、説明を簡略化するため、エレベーター１のかご内表示装置１３の表示内容変更に必要な構成部のみを示す。
【００１７】
通信部１１は、コントロールセンター装置２との間で行われる通信の制御を行う。例えば、通信部１１は、コントロールセンター装置２にエレベーター１の運行データや故障データなどを送信したり、コントロールセンター装置２から送信される遠隔制御コマンド等の受信を行ったりする。
【００１８】
制御部１２は、例えばＣＰＵ（Central Processing Unit）で構成され、通信部１１やかご内表示装置１３等のエレベーター１を構成する各部の動作を制御する。
かご内表示装置１３は、例えば、液晶パネル等で構成されるインジケーターであり、エレベーター１の乗りかご（図示略）内に設置される。かご内表示装置１３には、階床の情報の他、エレベーターの次回点検予定日の通知や、エレベーター１の利用者向けのメッセージなどの各種コンテンツが表示される。
【００１９】
コントロールセンター装置２は、通信部２１、データ蓄積部２２及び制御部２３を備える。
通信部２１は、公共ネットワーク４を介して接続されるエレベーター１、端末装置３との間で行われる通信の制御を行う。データ蓄積部２２には、故障データ記憶部２２ａ、運行データ記憶部２２ｂ、作業予定データ記憶部２２ｃ、顧客データテーブル２２ｄ、判定値記憶部２２ｅ及び表示内容データ記憶部２２ｆが形成される。
【００２０】
故障データ記憶部２２ａには、エレベーター１の故障データが蓄積される。運行データ記憶部２２ｂには、エレベーター１の運行データが蓄積される。作業予定データ記憶部２２ｃには、エレベーターの保守会社の作業員による作業予定に関するデータが格納される。顧客データテーブル２２ｄには、エレベーターの納品先の顧客に関する情報が、エレベーターの識別情報（後述のエレベーター識別ＩＤ）と対応付けて格納される。判定値記憶部２２ｅには、エレベーター１の各種異常の検知を行うための閾値としての判定値が格納される。表示内容データ記憶部２２ｆには、エレベーター１のかご内表示装置１３に表示させる表示内容のデータが格納される。
【００２１】
制御部２３は、プッシュ通知制御部２３ａ、解析部２３ｂ及びコマンド制御部２３ｃを備える。プッシュ通知制御部２３ａは、ユーザーが操作する端末装置３に対してプッシュ通知を行う。端末装置３に対して行われるプッシュ通知には、エレベーター１の管理者である顧客に対する、かご内表示装置１３への表示推薦内容の通知メッセージや、表示内容の変更に伴う改善実績の報告メッセージなどがある。
【００２２】
解析部２３ｂは、通知対象抽出部２３ｂ１及び演算部２３ｂ２等を備える。演算部２３ｂ２は、データ蓄積部２２に蓄積された各種データの解析を行う。通知対象抽出部２３ｂ１は、演算部２３ｂ２による解析結果に基づいて、データ蓄積部２２の顧客データ記憶部２２ｄから、プッシュ通知を行う対象となる顧客を抽出するとともに、該顧客に送信する表示推薦内容を決定する。
【００２３】
コマンド制御部２３ｃは、エレベーター１のかご内表示装置１３に表示するコンテンツの内容を変更するためのコマンド（以下、単に「かご内表示装置１３の表示内容変更コマンド」と称する）を生成する。
【００２４】
端末装置３は、通信部３１、制御部３２及び入出力部３３を備える。通信部３１は、公共ネットワーク４を介して接続されるコントロールセンター装置２との間で行われる通信の制御を行う。制御部３２は、例えばＣＰＵで構成され、端末装置３の通信部３１及び入出力部３３の動作を制御する。例えば、制御部３２は、コントロールセンター装置２から、かご内表示装置表示変更コマンドが送信された場合には、そのかご内表示装置表示変更コマンドに基づいて、かご内表示装置１３に表示するコンテンツの表示内容を変更する。
【００２５】
入出力部３３は、ユーザーによる操作が入力される入力部（図示略）、及び液晶ディスプレイ等の表示部（図示略）を備える。端末装置３がスマートフォンや携帯電話端末などで構成される場合には、入力部は、タッチセンサやキー等により構成される。端末装置３がＰＣ等で構成される場合には、入力部は、マウスやキーボード等で構成される。表示部は、液晶パネル等により構成される。
【００２６】
入出力部３３の出力部の画面には、コントロールセンター装置２からプッシュ通知された、かご内表示装置１３への表示推薦内容に関する通知メッセージや、表示内容の変更に伴う改善実績の報告メッセージなどが表示される。
【００２７】
ここで、図２を参照して、表示内容管理システム１００を構成する各装置のハードウェア構成について説明する。図２は、表示内容管理システム１００を構成する各装置を計算機Ｃで構成した場合のハードウェアのブロック図である。
【００２８】
計算機Ｃは、バスＣ４にそれぞれ接続されたＣＰＵＣ１、ＲＯＭ（Read Only Memory）Ｃ２及びＲＡＭ（Random Access Memory）Ｃ３を備える。さらに、計算機Ｃは、バスＣ４にそれぞれ接続された表示部Ｃ５、操作部Ｃ６、不揮発性ストレージＣ７及びネットワークインタフェースＣ８を備える。
【００２９】
ＣＰＵ Ｃ１は、計算機Ｃが備える各種機能を実現するためのソフトウェアのプログラムコードが格納されたＲＯＭ Ｃ２から所定のプログラムコードをＲＡＭ Ｃ３に読み出して実行する。この際、ＲＡＭ Ｃ３には、ＣＰＵ Ｃ１による演算処理の過程で発生した変数やパラメータなども一時的に書き込まれる。
【００３０】
表示部Ｃ５は、例えば、液晶ディスプレイ等の表示装置で構成され、計算機Ｃで行われた処理の結果等の情報を表示画面に表示して、ユーザーに報知する。操作部Ｃ６は、例えば、キーボード、マウス等の操作装置で構成され、ユーザーが計算機Ｃに対して所定の操作入力、指示を行うことができる。
【００３１】
不揮発性ストレージＣ７は、例えば、ＨＤＤ（Hard disk drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等の記憶装置で構成される。不揮発性ストレージＣ７には、ＯＳ（Operating System）、各種のパラメータの他に、計算機Ｃを機能させるための各種プログラムが記録される。
【００３２】
ネットワークインタフェースＣ８は、例えば、ＮＩＣ（Network Interface Card）等で構成される。計算機Ｃは、ネットワークインタフェースＣ８の端子に接続されたＬＡＮ（Local Area Network）、専用線等を介して各種のデータを送受信することができる。
【００３３】
本実施形態では、エレベーター１内の通信部１１はネットワークインタフェースＣ８に含まれ、制御部１２はＣＰＵ Ｃ１に含まれ、かご内表示装置１３は表示部Ｃ５に含まれる。そして、ＣＰＵ Ｃ１は、ＲＯＭ Ｃ２に格納されている表に内容変更用のプログラムコードをＲＡＭ Ｃ３に読み出し、当該プログラムコードを実行することにより、エレベーター１内のかご内表示装置１３の表示内容の変更制御を行う。
【００３４】
また、コントロールセンター装置２中の通信部２１はネットワークインタフェースＣ８に含まれ、制御部２３はＣＰＵ Ｃ１に含まれ、データ蓄積部２２はＲＯＭ Ｃ２に含まれる。そして、ＣＰＵ Ｃ１は、ＲＯＭ Ｃ２に格納されている表に内容変更用のプログラムコードをＲＡＭ Ｃ３に読み出し、当該プログラムコードを実行することにより、エレベーター１内のかご内表示装置１３の表示内容の通知及び変更の制御を行う。
【００３５】
さらに、端末装置３内の通信部３１は、ネットワークインタフェースＣ８に含まれ、制御部３２はＣＰＵ Ｃ１に含まれ、入出力部３３の入力部は操作部Ｃ６に含まれ、入出力部３３の出力部は表示部Ｃ５に含まれる。そして、ＣＰＵ Ｃ１は、ＲＯＭ Ｃ２に格納されている表示内容変更用のプログラムコードをＲＡＭ Ｃ３に読み出し、当該プログラムコードを実行することにより、コントロールセンター装置２から送信されたプッシュ通知の内容や表示内容変更用の画面等を、表示部Ｃ５に表示する。
【００３６】
［故障データ記憶部のデータ構造］
次に、本実施形態のコントロールセンター装置２のデータ蓄積部２２内に格納される故障データ記憶部２２ａのデータ構造について、図３を参照して説明する。図３は、故障データ記憶部２２ａのデータ構造の例を示す図である。
【００３７】
故障データ記憶部２２ａは、図３に示すように、「エレベーター識別ＩＤ」、「故障内容」及び「検出日時」のフィールドを有する。「エレベーター識別ＩＤ」フィールドには、各顧客先に納品された各エレベーターをそれぞれに識別する識別子としてのエレベーター識別ＩＤが格納される。「故障内容」フィールドには、エレベーターから送信された故障データに記載された故障内容が格納される。「検出日時」フィールドには、エレベーターにおいて故障が検出された日時の情報が、ＹＹＹＹ／ＭＭ／ＤＤ ｈｈ／ｍｍ／ｓｓのフォーマットで格納される。
【００３８】
図３に示す例では、エレベーター識別ＩＤが「１２３４５６７８」であるエレベーターにおいて、２０１９年３月１日の１０時にドア開閉異常が発生し、２０１９年３月１１日の２時に安全装置が動作したことが、故障データ記憶部２２ａに記録されている。また、同じくエレベーター識別ＩＤが「１２３４５６７８」であるエレベーターにおいて、２０１９年３月１２日の９時にドア開閉異常が発生し、２０１９年２月１２日の２２時１５分にドア電源系統異常が発生したことが、故障データ記憶部２２ａに記録されている。さらに、エレベーター識別ＩＤが「９８７６５４３２」であるエレベーターにおいて、２０１９年３月８日の１６時３０分に安全装置が動作し、２０１９年３月２０日の１９時に電源系統異常が発生したことが、故障データ記憶部２２ａに記録されている。
【００３９】
［運行データ記憶部のデータ構造］
次に、本実施形態のコントロールセンター装置２のデータ蓄積部２２内に格納される運行データ記憶部２２ｂについて、図４を参照して説明する。図４は、運行データ記憶部２２ｂのデータ構造の例を示す図である。
【００４０】
運行データ記憶部２２ｂは、図４に示すように、「エレベーター識別ＩＤ」、「走行時間（ｈｏｕｒ）」、「階床別ドア開閉回数（１階）」及び「階床別ドア開閉回数（２階）」のフィールドを有する。「エレベーター識別ＩＤ」フィールドには、エレベーター識別ＩＤが格納される。「走行時間（ｈｏｕｒ）」フィールドには、エレベーター識別ＩＤにより識別されるエレベーターの走行時間が、時間（ｈｏｕｒ）単位で格納される。
【００４１】
「階床別ドア開閉回数（１階）」フィールドには、エレベーター識別ＩＤにより識別されるエレベーターが建物の１階に停止する際の、エレベーターの乗りかごのドア（又は乗り場のドア）（いずれも図示略）の開閉回数が格納される。「階床別ドア開閉回数（２階）」フィールドには、エレベーター識別ＩＤにより識別されるエレベーターが２階に停止する際の、エレベーターの乗りかごのドア（又は乗り場のドア）の開閉回数が格納される。なお、図４には、「階床別ドア開閉回数」として１階及び２階における開閉回数が格納される例を示すが、本発明はこれに限定されない。「階床別ドア開閉回数」フィールドは、エレベーターが収容された建物の階床の数に応じて増減させることができる。
【００４２】
図４に示す例では、エレベーター識別ＩＤが「１２３４５６７８」であるエレベーターの走行時間は「７０時間」であり、１階におけるドアの開閉階数が「３００回」であり、２階におけるドアの開閉階数が「２０回」であることが、運行データ記憶部２２ｂに記録されている。
【００４３】
［判定値記憶部のデータ構造］
次に、本実施形態のコントロールセンター装置２のデータ蓄積部２２の判定値記憶部２２ｅのデータ構造について、図５を参照して説明する。図５は、判定値記憶部２２ｅのデータ構造の例を示す図である。
【００４４】
判定値記憶部２２ｅは、図５に示すように、「判定項目」、「判定値（回）」、「判定周期（日）」、「定型文」及び「推薦内容」の各フィールドを有する。「判定項目」フィールドには、コントロールセンター装置２の解析部２３ｂ（図１参照）によって判定が行われる判定項目が格納される。「判定値（回）」フィールドには、解析部２３ｂによる判定が行われる際に参照される判定値が格納される。「判定周期（日）」フィールドには、判定値として示される事象の発生回数の検出周期が格納される。
【００４５】
「定型文」フィールドには、判定項目の内容が、判定値（複数の判定値の場合もある）から外れていた場合に、エレベーターのかご内表示装置１３（図１参照）に対して推奨される表示の定型文が格納される。「推薦内容」フィールドには、定型文の変更を推薦する理由を示す文章が格納される。定型文への変更を推薦する理由には、例えば、かご内表示装置１３の表示内容を定型文に変更することにより改善が見込まれる効果などが記載される。
【００４６】
なお、図５に示す例では、「定型文」とともに「推薦内容」が判定値記憶部２２ｅに格納される例を挙げたが、本発明はこれに限定されない。例えば、判定値記憶部２２ｅとは別に、「推薦内容」のみが格納される記憶部を設けるようにしてもよい。
【００４７】
図５に示す例では、判定項目「ドア開閉異常多発」の判定値（回）は「２」であり、判定周期（日）は「３０」である。この場合、定型文としては「故障の原因となりますので、ドアの隙間にものを挟まないで下さい。」が記録されている。そして、この定型文を推薦する理由としての推薦内容は「いたずらによるエレベーターの停止を防止します。」が記録されている。また、判定項目「エレベーターの混雑多発」の判定値（回）は「３」であり、判定周期（日）は「７」である。この場合、定型文として「３階床以内の移動の際には、階段／エスカレーターのご利用にご協力下さい。」が記録されている。そして、推薦内容としては「近隣階の利用者へ別手段での移動を促し、混雑解消及び高階床利用者の満足度を向上させます。」が記録されている。
【００４８】
さらに、判定項目「安全装置動作多発」の判定値（回）は「２」であり、判定周期（日）は「３０」である。この場合、定型文として「故障の原因となりますので、運行中のエレベーターを揺らさないで下さい。」が記録されている。そして、推薦内容として「乗車マナーの向上を促し、エレベーターの停止を防止します。」が記録されている。
これらの定型文と推薦内容はすべて判定値記憶部２２ｅに格納されるものであるが、これらの定型文と推薦内容はあくまでも一例であり、判定値記憶部２２ｅに格納される定型文、推薦内容の内容は、図５に示す例に限定されない。
【００４９】
［表示内容データ記憶部のデータ構造］
次に、本実施形態のコントロールセンター装置２のデータ蓄積部２２内に格納される表示内容データ記憶部２２ｆのデータ構造について、図６を参照して説明する。図６は、表示内容データ記憶部２２ｆのデータ構造の例を示す図である。
【００５０】
表示内容データ記憶部２２ｆは、図６に示すように、「エレベーター識別ＩＤ」、「表示スケジュール（開始）」、「表示スケジュール（終了）」及び「定型文」の各フィールドを有する。「エレベーター識別ＩＤ」フィールドには、エレベーター識別ＩＤが格納される。「表示スケジュール（開始）」フィールドには、エレベーターのかご内表示装置１３におけるメッセージの表示を開始する予定日時が、ＹＹＹＹ／ＭＭ／ＤＤ  ｈｈ／ｍｍ／ｓｓのフォーマットで格納される。「表示スケジュール（終了）」フィールドには、エレベーターのかご内表示装置１３におけるメッセージの表示を終了する予定日時が、ＹＹＹＹ／ＭＭ／ＤＤ  ｈｈ／ｍｍ／ｓｓのフォーマットで格納される。「定型文」フィールドには、エレベーターのかご内表示装置１３に表示することが推奨される定型文が格納される。
【００５１】
図６に示す例では、エレベーター識別ＩＤが「１２３４５６７８」であるエレベーターにおいて「故障の原因となりますので、ドアの隙間にものを挟まないで下さい。」というメッセージの表示の開始日時が、２０１９年４月１５日の１０時であり、終了日時が同年５月１５日の１０時であることが表示内容データ記憶部２２ｆに記録されている。
【００５２】
［プッシュ通知されたメッセージの表示例］
次に、コントロールセンター装置２からプッシュ通知されたメッセージを端末装置３が受信した場合の、端末装置３の入出力部３３の画面における受信通知メッセージの表示例について、図７及び図８を参照して説明する。図７は、表示推薦内容の受信通知メッセージＮ１の表示例を示し、図８は、表示内容の変更に伴う改善実績報告の受信通知メッセージＮ２の表示例を示す。
【００５３】
図７に示す表示推薦内容受信通知メッセージＮ１の上部には、「通知元（ＸＸＸサービス）」と記載されている。この欄には、メッセージの通知元の保守会社の名称が記載される。この欄の下方には、「運行データに基づく、かご内表示装置への表示推薦内容を受信しました」のメッセージが表示されている。このメッセージの記載欄には、コントロールセンター装置２からプッシュ通知されたメッセージの概要が記載される。この欄の下方には、「対象ビル名：ＡＢＣビル」、「対象号機：２号機」の文字が表示されている。この欄には、表示推薦内容のメッセージが通知された対象のビル名、及び、対象のエレベーターの号機が記載される。
【００５４】
端末装置３を操作するユーザーは、この表示推薦内容受信通知メッセージＮ１を見ることにより、コントロールセンター装置２から、ＡＢＣビルの２号機内のかご内表示装置への表示推薦内容が送信されたことを把握することができる。
【００５５】
図８に示す改善実績報告受信通知メッセージＮ２の上部には、「通知元（ＸＸＸサービス）」と記載されている。この欄にも、メッセージの通知元の保守会社の名称が記載される。この欄の下方には、「運行データの改善状況に関するレポートが２件あります」のメッセージが表示されている。このメッセージの記載欄には、コントロールセンター装置２からプッシュ通知されたメッセージの概要が記載される。この欄の下方には、「対象ビル名：ＸＹＺビル」、「対象号機：１、２号機」の文字が表示されている。この欄には、表示推薦内容のメッセージが通知された対象のビル名、及び対象のエレベーターの号機が記載される。
【００５６】
端末装置３を操作するユーザーは、この改善実績報告受信通知メッセージＮ２を見ることにより、コントロールセンター装置２から、ＸＹＺビルの１号機及び２号機内のかご内表示装置への表示内容が変更されたこと、そして運行データの改善状況のレポートが送信されたことを把握することができる。
【００５７】
なお、図７に示した表示推薦内容受信通知メッセージＮ１の内容、及び図８に示した改善実績報告受信通知メッセージＮ２の内容は一例であり、本発明はこれらの例に限定されるものではない。
【００５８】
図７に示した表示推薦内容受信通知メッセージＮ１の表示箇所をクリックする操作や指でタッチする操作がユーザーにより行われた場合、端末装置３の入出力部３３の画面には、表示推薦内容を表示するかご内表示装置表示内容変更画面Ｓｃ１（図９参照）が表示される。
また、図８に示した改善実績報告受信通知メッセージＮ２の表示箇所をクリックする操作や指でタッチする操作がユーザーにより行われた場合、端末装置３の入出力部３３の画面には、改善実績報告を表示する改善実績レポート表示画面Ｓｃ３（図１１参照）が表示される。
【００５９】
［かご内表示装置表示内容変更画面の例］
次に、コントロールセンター装置２からのプッシュ通知に基づいて端末装置３の入出力部３３の画面に表示される、かご内表示装置表示内容変更画面Ｓｃ１の例について、図９を参照して説明する。図９は、かご内表示装置表示内容変更画面Ｓｃ１の例を示す図である。
【００６０】
図９に示すように、かご内表示装置表示内容変更画面Ｓｃ１は、解析結果表示部１０１、表示内容表示部１０２、推薦内容表示部１０３、ラジオボタン表示部１０４及び次へボタン１０５を含む。
【００６１】
解析結果表示部１０１には、コントロールセンター装置２の解析部２３ｂ（図１参照）による、エレベーター１の運行データ、故障データ等の解析結果が表示される。図９に示す例では、解析結果表示部１０１には、「ビル名」、「検出された内容」、「検出期間」、「検出回数」及び「画面イメージ」の各項目欄が表示されている。「ビル名」の欄には、エレベーター１が収容されている建物の名称が記載され、「検出された内容」の欄には、コントロールセンター装置２の解析部２３ｂによって検出された事象（インシデント）が記載される。「検出期間」の欄には、事象の検出を開始した日時及び終了した日時が記載され、「検出回数」の項目には、事象の検出回数が記載される。「画面イメージ」の欄には、変更前、すなわち、かご内表示装置１３において現在表示中の表示内容が示される。
【００６２】
図９に示す例では、ＡＢＣビルにおいて、２０１８年１０月１日の０時から２０１８年１０月３１日の２３時５９分までの間に検出された、エレベーターの混雑頻発（混雑状態）の回数は、１５回であったことが、解析結果表示部１０１に表示されている。
【００６３】
解析結果表示部１０１の下部には、エレベーター管理者であるユーザーに対するメッセージが表示される。図９に示す例では、「上記状況は、かご内表示装置の表示内容を変更することにより解消される可能性があります。表示内容の変更を行う場合には、ご希望される表示内容を選択して下さい。」というメッセージが表示されている。さらに、「表示内容変更の推薦内容を確認したい場合には、下記のラジオボタンの「推薦内容」を選択して下さい。」というメッセージも表示されている。
【００６４】
これらのメッセージの下方には、表示内容表示部１０２、推薦内容表示部１０３及びラジオボタン表示部１０４が表示されている。表示内容表示部１０２には、コントロールセンター装置２からプッシュ通知によって送信された、表示推薦内容の通知メッセージの内容が表示される。推薦内容表示部１０３には、表示内容の変更を推薦する理由（推薦内容）が表示される。ラジオボタン表示部１０４には、「推薦内容」、「メッセージを編集する。（自由記述）」、及び「変更しない。（現状のまま）」の３つの選択肢を有するラジオボタンが表示される。
【００６５】
図９に示す例では、表示内容表示部１０２に、「本時間帯はエレベーターが非常に混雑するため、３階床以内の移動の際には、階段／エスカレーターのご利用にご協力お願いします。」のメッセージとともに、「７：３０〜９：００」の時間帯が表示されている。つまり、３階床以内の移動の際におけるエレベーター以外の手段による移動を、朝の７時３０分から９時までの間において促すメッセージが表示されている。
【００６６】
また、図９に示す例では、ラジオボタン表示部１０４において「推薦内容」の欄にチェックが入っている（選択されている）ため、表示内容表示部１０２の右隣に配置されている推薦内容表示部１０３に、表示内容表示部１０２の内容への変更を推薦する理由が表示されている。具体的には、推薦内容表示部１０３に、「階段／エスカレーターの利用を促すことにより、エレベーターの混雑緩和を計ります。」のメッセージが表示されている。
【００６７】
ラジオボタン表示部１０４において、「メッセージを編集する。（自由記述）」のボタンを選択することにより、ユーザーは、表示内容表示部１０２に表示されたメッセージの内容を編集することができる。また、ラジオボタン表示部１０４において、「変更しない。（現状のまま）」のボタンを選択することにより、ユーザーは、推薦された表示内容に変更せずに、現在表示中の表示内容を維持する旨を、コントロールセンター装置２宛に返信することができる。次へボタン１０５がユーザーにより押下された場合、画面はかご内表示装置表示内容確定画面に遷移する。
【００６８】
［かご内表示装置表示内容確定画面の例］
次に、かご内表示装置表示内容確定画面Ｓｃ２の例について、図１０を参照して説明する。図１０は、かご内表示装置表示内容確定画面Ｓｃ２の例を示す図である。
【００６９】
図１０に示すように、かご内表示装置表示内容確定画面Ｓｃ２は、解析結果表示部１０１、希望表示期間表示部１０６、表示対象階床選択肢表示部１０７及び確定ボタン１０８を備える。
【００７０】
解析結果表示部１０１の表示内容は、図９に示したものと同じであるため、ここではその説明を省略する。希望表示期間表示部１０６には、かご内表示装置１３へのメッセージの表示を行う期間の指定方法として、「表示時間」、「表示期間指定」及び「表示周期」の３種類の方法が表示されている。「表示時間」においては、「ｈｈ：ｍｍ」のフォーマットでメッセージの表示期間を指定可能であり、「表示期間指定」においては「ＹＹＹＹ／ＭＭ／ＤＤ」のフォーマットでメッセージの表示期間を指定可能である。「表示周期」においては、曜日によってメッセージの表示期間を指定可能である。
【００７１】
表示対象階床選択肢表示部１０７には、メッセージの表示を行う対象となる階床の選択肢が表示される。図１０に示す例では、「１」〜「６」、すなわち、１階から６階までが選択肢として表示されている。そして、確定ボタン１０８がユーザーにより押下されることにより、かご内表示装置表示内容確定画面Ｓｃ２において確認又は変更された内容が確定される。
【００７２】
［改善実績レポートの表示例］
次に、コントロールセンター装置２からのプッシュ通知に基づいて端末装置３の入出力部３３の画面に表示される、運行データの改善実績レポート表示画面の例について、図１１を参照して説明する。図１１は、改善実績レポート表示画面Ｓｃ３の例を示す図である。図１１に示す運行データの改善実績レポート表示画面Ｓｃ３は、例えば、図８に示した改善実績報告受信通知メッセージＮ２の表示後に表示される。
【００７３】
図１１に示すように、運行データの改善実績レポート表示画面Ｓｃ３には、「運行データの改善実績レポート」という件名とともに、（１）及び（２）の番号を付与することにより示される２件分の改善実績レポートの内容が示されている。具体的には、「（１）ＸＹＺビルの１号機の７：３０〜９：００における混雑状況の発生回数が、表示内容の変更前と比較して１５％低減しました」及び「（２）ＸＹＺビルの２号機の７：３０〜９：００における混雑状況の発生回数が、表示内容の変更前と比較して１０％低減しました」のメッセージが表示されている。
【００７４】
［表示内容管理システムによる表示内容管理方法］
次に、本実施形態に係る表示内容管理システム１００による表示内容管理方法について、図１２を参照して説明する。図１２は、表示内容管理システム１００による表示内容管理方法の手順の例を示すフローチャートである。
【００７５】
まず、エレベーター１の制御部１２（図１参照）は、エレベーター１内の各種デバイスより、データを収集する（ステップＳＥ１）。ステップＳＥ１において、エレベーター１の制御部１２は、定期的に行われる運行データの抽出日時の到来時に、各種デバイスより運行データを収集したり、エレベーター１の故障の検知を知らせる信号を各種デバイスより受信したりした場合に、該信号に基づき示される故障データを収集する。次いで、エレベーター１の通信部１１は、制御部１２が収集した収集データを、コントロールセンター装置２に送信する（ステップＳＥ２）。
【００７６】
次いで、コントロールセンター装置２の通信部２１がエレベーター１から送信された収集データを受信するとともに、該収集データを制御部２３がデータ蓄積部２２に格納する（ステップＳＣ１）。具体的には、制御部２３は、収集データに含まれる故障データを故障データ記憶部２２ａに格納し、運行データを運行データ記憶部２２ｂに格納する。
【００７７】
次いで、コントロールセンター装置２の解析部２３ｂの演算部２３ｂ２（図１参照）は、ステップＳＣ１で受信した収集データの値と、判定値記憶部２２ｅに格納された判定値とを比較する（ステップＳＣ２）。例えば、演算部２３ｂ２は、ステップＳＣ１で受信した収集データに、ドア開閉異常の回数のデータが含まれていた場合、該ドア開閉異常の回数と、判定値記憶部２２ｅ内の判定値とを比較する。
【００７８】
次いで、コントロールセンター装置２の解析部２３ｂは、ステップＳＣ２で行った比較結果、及び、作業予定データ記憶部２２ｃ（図１参照）に格納された作業員による作業予定に基づいて、ステップＳＣ１で受信した収集データの送信元のエレベーター１が、プッシュ通知対象のエレベーター１であるか否かを判定する（ステップＳＣ３）。例えば、ステップＳＣ１で受信した収集データに含まれるドア開閉異常の回数が、判定値を上回っていた場合、解析部２３ｂは、収集データの送信元のエレベーター１は、プッシュ通知対象のエレベーター１であると判定する。
【００７９】
ステップＳＣ３で、プッシュ通知対象のエレベーターではないと判定された場合（ステップＳＣ３のＮＯ）、処理は終了する。一方、ステップＳＣ３で、プッシュ通知対象のエレベーターであると判定された場合（ステップＳＣ３のＹＥＳ）、解析部２３ｂの通知対象抽出部２３ｂ１は、プッシュ通知を行う対象顧客を抽出するとともに、該対象顧客に送信するプッシュ通知を作成する（ステップＳＣ４）。
【００８０】
具体的には、通知対象抽出部２３ｂ１は、プッシュ通知対象のエレベーター１のエレベーター識別ＩＤをキーとして顧客データテーブル２２ｄを検索することにより、プッシュ通知の対象となる顧客を抽出する。さらに、通知対象抽出部２３ｂ１は、ステップＳＣ３で判定に用いた判定値と対応付けて判定値記憶部２２ｅに格納されている定型文及び推薦内容を用いて、プッシュ通知を生成する。
【００８１】
次いで、コントロールセンター装置２のプッシュ通知制御部２３ａは、通信部２１を介して、ステップＳＣ４で生成したプッシュ通知を、端末装置３に送信する（ステップＳＣ５）。
【００８２】
次いで、端末装置３の通信部３１（図１参照）は、コントロールセンター装置２から送信されたプッシュ通知を受信する（ステップＳＭ１）。次いで、端末装置３の制御部３２は、ステップＳＭ１で受信したプッシュ通知に基づいて、入出力部３３の表示部に通知内容を表示する（ステップＳＭ２）。具体的には、制御部３２は、ステップＳＭ１で受信したプッシュ通知に基づいて、表示推薦内容の通知メッセージの受信通知メッセージＮ１（図７参照）を表示させ、続いて、かご内表示装置表示内容変更画面Ｓｃ１（図９参照）を表示させる。エレベーター１の管理者であるユーザーは、かご内表示装置表示内容変更画面Ｓｃ１の表示内容表示部１０２を見ることにより、変更が推奨される表示内容を確認するとともに、推薦内容表示部１０３を見ることにより、該表示内容を推薦する理由（推薦内容）を確認することができる。
【００８３】
次いで、端末装置３の制御部３２は、ユーザーによる編集の操作を受け付けたか否かを判定する（ステップＳＭ３）。例えば、図９に示したかご内表示装置表示内容変更画面Ｓｃ１の表示内容表示部１０２に表示された文章を編集する操作がユーザーによって行われた場合、ステップＳＭ３はＹＥＳ判定となる。ステップＳＭ３で、編集操作を受け付けたと判定された場合（ステップＳＭ３のＹＥＳ）、端末装置３の制御部３２は、編集操作に基づく編集内容を、かご内表示装置の表示内容に反映させる（ステップＳＭ４）。
【００８４】
次いで、端末装置３の制御部３２が表示内容の変更を確定するとともに、変更内容が確定したことを、通信部３１がコントロールセンター装置２に通知する（ステップＳＭ５）。ステップＳＭ３で、ユーザーによる編集の操作を受け付けていないと判定された場合（ステップＳＭ３のＮＯ）にも、ステップＳＭ５の処理が行われる。
【００８５】
なお、本実施形態では、ステップＳＭ１〜ステップＳＭ５までの処理をすべて端末装置３が行う例を挙げたが、本発明はこれに限定されない。例えば、かご内表示装置表示内容変更画面Ｓｃ１やかご内表示装置表示内容確定画面Ｓｃ２等を、ダッシュボード等としてウェブ上に公開し、該ダッシュボードの運用を行う装置（クラウド上等に設けられたサーバーなど）が、かご内表示装置表示内容変更画面Ｓｃ１等の表示処理、編集内容の表示内容への反映処理等を行ってもよい。
【００８６】
次いで、コントロールセンター装置２の通信部２１は、ステップＳＭ５で端末装置３から送信された表示内容の変更が確定通知を受信するとともに、確定された変更内容を、表示内容データ記憶部２２ｆに格納する（ステップＳＣ６）。次いで、コントロールセンター装置２のコマンド制御部２３ｃは、かご内表示装置１３の表示内容変更コマンドを生成し、該表示内容変更コマンドを、通信部２１を介してエレベーター１に送信する（ステップＳＣ７）。ステップＳＣ７の表示内容変更コマンドの生成及び送信は、表示内容データ記憶部２２ｆに格納された表示スケジュール（開始）の日時の到来時に、コマンド制御部２３ｃの制御に基づいて行われる。
【００８７】
次いで、エレベーター１の通信部１１は、ステップＳＣ７でコントロールセンター装置２から送信された、かご内表示装置１３の表示内容変更コマンドを受信する（ステップＳＥ３）。次いで、エレベーター１の制御部１２は、ステップＳＥ３で受信した表示内容変更コマンドに基づいて、かご内表示装置１３の表示内容を変更する（ステップＳＥ４）。なお、ここで変更される表示内容は、ステップＳＭ５で端末装置３の制御部３２によって確定された変更内容である。次いで、エレベーター１の通信部１１は、かご内表示装置１３の表示内容の変更が完了したことを示す通知（以下、「表示内容完了通知」と称する）を、コントロールセンター装置２に送信する（ステップＳＥ５）。
【００８８】
次いで、コントロールセンター装置２の通信部２１は、ステップＳＥ５でエレベーター１から送信された表示内容完了通知を受信する（ステップＳＣ８）。次いで、コントロールセンター装置２の通信部２１は、表示内容完了通知を端末装置３に送信する（ステップＳＣ９）。
【００８９】
次いで、端末装置３の通信部３１は、ステップＳＣ９でコントロールセンター装置２から送信された表示内容完了通知を受信するとともに、通知内容を入出力部３３の表示部に表示する（ステップＳＭ６）。ステップＳＭ６の処理が行われることにより、ユーザーは、かご内表示装置表示内容変更画面Ｓｃ１を介して編集及び／又は確認した表示内容が、かご内表示装置１３における表示内容に反映されたことを、把握（確認）することができる。
【００９０】
ステップＳＥ５の処理後、エレベーター１の制御部１２は、エレベーター１内の各種デバイスより、データを収集する（ステップＳＥ６）。ステップＳＥ６における、エレベーター１の制御部１２によるデータの収集は、ステップＳＥ１におけるそれと同様に行われる。次いで、エレベーター１の通信部１１は、制御部１２が収集した収集データを、コントロールセンター装置２に送信する（ステップＳＥ７）。
【００９１】
次いで、コントロールセンター装置２の通信部２１がエレベーター１から送信された収集データを受信するとともに、該収集データを制御部２３がデータ蓄積部２２に格納する（ステップＳＣ１０）。次いで、コントロールセンター装置２の解析部２３ｂは、運行データの改善実績の解析を行う（ステップＳＣ１１）。ステップＳＣ１１において、解析部２３ｂは、かご内表示装置１３への表示内容の変更前におけるデータ蓄積部２２内の各種データの解析結果と、変更後におけるデータ蓄積部２２内の各種データの解析結果とを対比することにより、改善実績の解析を行う。
【００９２】
次いで、コントロールセンター装置２の制御部２３は、ステップＳＣ１１で行った解析に基づいて、運行データの改善実績レポートを生成する。そして、コントロールセンター装置２の通信部２１は、該改善実績レポートを端末装置３に送信する（ステップＳＣ１２）。そして、端末装置３の通信部３１は、ステップＳＣ１２でコントロールセンター装置２から送信された運行データの改善実績レポートを受信するとともに、入出力部３３の画面に表示する（ステップＳＭ７）。
【００９３】
ステップＳＭ７の処理が行われることにより、ユーザーは、かご内表示装置１３への表示内容の変更を行ったことによって運行データの内容が改善された場合に、その内容を知ることができる。
【００９４】
上述のように、本実施形態のエレベーター１の表示内容管理システム１００では、表示内容管理装置としてのコントロールセンター装置２の解析部２３ｂが、エレベーター１の運行データを含むエレベーター１の収集データを解析する。そして、解析の結果に基づいて、かご内表示装置１３での表示を推薦する表示推薦内容を決定する。そして、通信部３１が、表示推薦内容を、エレベーター１の管理を行うユーザーが操作する端末装置３に送信する。
【００９５】
したがって、本実施形態では、エレベーター１の管理を行うユーザーは、かご内表示装置１３に表示されるコンテンツの内容を検討したり、コンテンツの変更作業を実施することを失念したりすることがなくなる。それゆえ、本実施形態によれば、かご内表示装置に表示されるコンテンツの内容や変更時期を検討することによりエレベーター管理者にかかる負担を軽減することができる。特に、ビル管理会社等の、多台数のエレベーターを管理しているエレベーター管理者においては、かご内表示装置に表示するコンテンツの内容の変更管理を十分に行えていない場合も多いが、本実施形態によれば、このようなユーザーにかかる負担も軽減することができる。
【００９６】
さらに、本実施形態では、エレベーター管理者にかかる負担を軽減できるため、かご内表示装置１３に表示するコンテンツの変更が適切に行われるようになる。それゆえ、本実施形態によれば、エレベーター１のかご内表示装置１３の有効活用が計られることにより、エレベーター１の管理者の満足度も向上させることができる。
【００９７】
また、上述の実施形態では、コントロールセンター装置２は、表示推薦内容を含むプッシュ通知を端末装置３に送信するプッシュ通知制御部２３ａを備える。したがって、プッシュ通知に基づいて表示推薦内容が端末装置３において自動的に表示されるため、本実施形態によれば、ユーザーがコンテンツの変更作業を実施することを失念してしまうことを防ぐことができる。
【００９８】
また、上述の実施形態では、通信部２１から端末装置３にプッシュ通知される内容には、表示推薦内容、及び、かご内表示装置１３の表示内容を表示推薦内容に変更することにより改善が見込まれる効果に関する記載を含む表示推薦内容の推薦理由が含まれる。したがって、本実施形態によれば、また、ユーザーは、かご内表示装置１３の表示内容を表示推薦内容に変更することにより改善が見込まれる効果を確認した上で、かご内表示装置１３の表示内容を表示推薦内容に変更するか否かの判断や、変更が妥当であるか否かの判断などを行うことができる。
【００９９】
また、上述の実施形態では、解析部２３ｂは、表示内容推薦に基づいてかご内表示装置１３での表示内容が変更される前及び後のそれぞれにおける収集データの解析を比較する。そして、比較の結果に基づいて、エレベーター１の運行データの改善実績示す改善実績報告を生成する。通信部２１は、改善実績報告を端末装置に送信する。したがって、本実施形態によれば、ユーザーは、かご内表示装置１３の表示内容を表示推薦内容に変更したことにより実際にエレベーター１の運行データが改善されたことを、確認することができる。
【０１００】
また、上述の実施形態では、コントロールセンター装置２のコマンド制御部２３ｃは、表示推薦内容を見たユーザーにより行われた、かご内表示装置１３に表示させる表示内容の編集及び確認操作、又は、確認操作に基づいて、かご内表示装置１３に表示させる表示内容の変更が確定した場合に、コマンド（かご内表示装置１３の表示内容変更コマンド）を生成する。このコマンドは、確定した内容にかご内表示装置１３の表示内容を変更させるコマンドである。そして、コマンド制御部２３ｃは、該コマンドを、通信部２１を介してエレベーター１に送信する。したがって、本実施形態によれば、ユーザーにより行われた、表示内容の編集及び確認操作、又は、確認操作に基づいて、かご内表示装置１３の変更内容を変更することができる。
【０１０１】
［各種変形例及び応用例］
以上、本発明の各種実施形態に係る表示内容管理装置及び表示内容管理システムについて説明したが、本発明は上記各種実施形態に限定されない。本発明の構成は、特許請求の範囲に記載した本発明の要旨を逸脱しない限りその他種々の変形例、応用例の構成を取り得る。例えば、次のような各種変形例及び応用例も本発明に含まれる。
【０１０２】
例えば、上述した実施形態では、コントロールセンター装置２から端末装置３に対して、かご内表示装置１３への表示推薦内容の通知メッセージ、及び、表示内容の変更に伴う改善実績の報告メッセージを送信する例を挙げたが、本発明はこれに限定されない。実施が予定される定期点検の日時の情報等を、コントロールセンター装置２から端末装置３に対して送信してもよい。
【０１０３】
なお、図１中の制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１０４】
１…エレベーター、２…コントロールセンター装置、３…端末装置、１１…通信部、１２…制御部、１３…かご内表示装置、２１…通信部、２２…データ蓄積部、２３…制御部、２３ａ…プッシュ通知制御部、２３ｂ…解析部、２３ｂ１…通知対象抽出部、２３ｂ２…演算部、２３ｃ…コマンド制御部、３１…通信部、３２…制御部、３３…入出力部、１００…表示内容管理システム、Ｓｃ１…かご内表示装置表示内容変更画面、Ｓｃ２…かご内表示装置表示内容確定画面、Ｓｃ３…改善実績レポート表示画面
【図１】
2020196593.tif 000003
【図２】
2020196593.tif 000004
【図３】
2020196593.tif 000005
【図４】
2020196593.tif 000006
【図５】
2020196593.tif 000007
【図６】
2020196593.tif 000008
【図７】
2020196593.tif 000009
【図８】
2020196593.tif 000010
【図９】
2020196593.tif 000011
【図１０】
2020196593.tif 000012
【図１１】
2020196593.tif 000013
【図１２】
2020196593.tif 000014